(57)【特許請求の範囲】
【請求項１】
包装箱の天面を形成する内側フラップと外側フラップの互いに重合する間に、保証書入り封筒を挟み込むとともに、封入口近傍に保証書在中などの文字印刷が施された前記保証書入り封筒の文字印刷を明示するように、前記天面の四辺のいずれかに沿って前記外側フラップに切り欠き窓を設け、前記切り欠き窓に連設して、前記保証書入り封筒の短手寸法よりも短い溝幅で、かつ前記保証書入り封筒の長手寸法より長い切り欠き穴からなる案内溝を設ける構成とした包装箱。
【請求項２】
包装箱の天面を形成する内側フラップと外側フラップの互いに重合する間に、保証書入り封筒を挟み込むとともに、封入口近傍に保証書在中などの文字印刷が施された前記保証書入り封筒の文字印刷を明示するように、前記天面の四辺のいずれかに沿って前記外側フラップに切り欠き窓を設け、前記切り欠き窓から間を隔てて近傍に収納口を設け、前記収納口には立ち上げ、開口するように一部を折り曲げ罫線として肉を残し、残り外周を切り欠いた構成とし、前記保証書入り封筒の再収納時に、前記保証書入り封筒を前記収納口から差し込み前記内側フラップと前記外側フラップとの間に挿入するようにした包装箱。
【請求項３】
内側フラップには、保証書入り封筒の長手方向に対向して鉛直な方向に、立ち上げ、開口するように一部を折り曲げ罫線として肉を残し、残り外周を切り欠いた押さえ部を設け、前記押さえ部を立ち上げ、開口したときの内壁に前記保証書入り封筒の尾部を当接して挟み込み固定すると、前記保証書入り封筒の封入口が切り欠き窓から明示できるように位置決め、配設される請求項１または２記載の包装箱。
【発明の詳細な説明】
【０００１】
【発明の属する技術分野】
本発明は、例えば電気機器等の製品に保証書を同梱するための包装箱に関するものである。
【０００２】
【従来の技術】
電気機器等の製品を購入する際には、製品を梱包した包装箱の中にその製品の品質保証をするための保証書が同梱されており、メーカー名、購入販売店名などが記載されるようになっている。つまりメーカーが梱包し、出荷した製品は、消費者の手に渡る前に必ずなにがしかの販売店を経由して商談が成立して消費者が購入する際に、その販売店が店名を保証書に記載、捺印する仕組みになっており、製品封函後に保証書を損傷することなく包装箱から容易に出し入れできるものでなければならなかった。
【０００３】
しかるに、特開２０００−６２７６１号公報には、包装箱の上フラップと下フラップの間に保証書等を封入している袋を固定し、切り込みに沿って切り取り可能な切り取り片を設けた構成が開示されており、保証書が脱落したり、汚れたりすることはなく、保証書を封入している袋を強く保持する構成であった。
【０００４】
また実開平０３−１２６８１５号公報には、包装箱の外フラップに略コ字状に扉部を切り込み形成し、この扉部の一部に舌部を切り込み形成し、かつ内フラップに舌部挿入穴を設ける構成が開示されており、保証書を複数回出し入れ可能な構成とするものであった。
【０００５】
【発明が解決しようとする課題】
上記のように構成した保証書同梱の包装箱では、次のような課題を有していた。すなわち特開２０００−６２７６１号に記載された構成では、切り取り可能な切り取り片を故意に切り取らなければ保証書の所在が判断できず、また保証書に購入販売店名を記入、捺印するために、販売店で保証書を封入している袋を引き出すことが容易ではなく、また封函テープを剥がさずに再収納することは困難で、大切な保証書の破損や流通ロスの原因になりやすかった。また梱包時に保証書を封入している袋を下フラップのどの位置に合わせればよいかわかりづらく、切り取り片からずれる恐れがあった。
【０００６】
次に実開平０３−１２６８１５号に記載された構成では、保証書が扉部に隠れて所在が判別しにくく、出荷時および販売店での保証書抜き取り時に保証書が欠品になってもわからないものであった。また封函前に保証書を固定できる構成になっておらず、封函後にわざわざ一工程かけて保証書を舌部に挿入しなければならず生産効率の悪いものであった。
【０００７】
【課題を解決するための手段】
上記課題を解決するために本発明は、外側フラップに切り欠き窓を設けて、保証書入り封筒の所在を明示できる構成とし、切り欠き窓に連設した案内溝を設けて、いったん引き出した保証書入り封筒を容易にしかも破損することなく再度収納できる構成とし、さらに内側フラップに保証書入り封筒を固定する押さえ部を設け、保証書入り封筒を当接して位置決めすることで、切り欠き窓と保証書入り封筒の封入口が合致できるよう構成することにより、運送時、積載時などの保証書の欠損、脱落などの心配がなく常に保証書の所在が判別でき、包装箱の封函前後に容易に保証書を出し入れできる保証書同梱の包装箱を提供するものである。
【０００８】
【発明の実施の形態】
本発明の請求項１記載の発明は、包装箱の天面を形成する内側フラップと外側フラップの互いに重合する間に、保証書入り封筒を挟み込むとともに、封入口近傍に保証書在中などの文字印刷が施された前記保証書入り封筒の文字印刷を明示するように、前記天面の四辺のいずれかに沿って前記外側フラップに切り欠き窓を設け、前記切り欠き窓に連設して、前記保証書入り封筒の短手寸法よりも短い溝幅で、かつ前記保証書入り封筒の長手寸法より長い切り欠き穴からなる案内溝を設ける構成とすることで、保証書入り封筒の封入口近傍に印刷された保証書在中の文字が切り欠き窓から明示でき、保証書入り封筒の所在と有無が容易に判別でき、さらに販売店で保証書入り封筒を引き出し、保証書に販売店名を記入、捺印した後再収納するときには、切り欠き窓に保証書入り封筒を差し込み、案内溝に沿って指でなぞるように保証書入り封筒を挿入することで、保証書を折り曲げたり、欠損することなく容易に再収納することができる。
【０００９】
また、案内溝は、保証書入り封筒の短手寸法よりも短い溝幅で、かつ保証書入り封筒の長手寸法より長い切り欠き穴からなる構成とすることで、保証書入り封筒を最後まで腰折れさせたり欠損させることなく、容易にかつ円滑に再収納することができ、また保証書入り封筒の短手方向から差し込み挿入することもできる。
【００１０】
本発明の請求項２記載の発明は、包装箱の天面を形成する内側フラップと外側フラップの互いに重合する間に、保証書入り封筒を挟み込むとともに、封入口近傍に保証書在中などの文字印刷が施された前記保証書入り封筒の文字印刷を明示するように、前記天面の四辺のいずれかに沿って前記外側フラップに切り欠き窓を設け、前記切り欠き窓から間を隔てて近傍に収納口を設け、前記収納口には立ち上げ、開口するように一部を折り曲げ罫線として肉を残し、残り外周を切り欠いた構成とし、前記保証書入り封筒の再収納時に、前記保証書入り封筒を前記収納口から差し込み前記内側フラップと前記外側フラップとの間に挿入するようにしたことで、出荷時には保証書入り封筒の封入口近傍に印刷された保証書在中の文字が切り欠き窓から明示でき、保証書入り封筒の所在と有無が容易に判別できるとともに、いったん切り欠き窓から引き出した保証書入り封筒を開閉自在に立ち上げ、開口した収納口から差し込み挿入することで、保証書入り封筒を折り曲げたり欠損することなく、容易に再収納できるとともに、保証書入り封筒の封入口を収納口から外に突出させることで、再収納時にも保証書在中の印刷文字を明示し、保証書の所在を明示することができる。
【００１１】
本発明の請求項３記載の発明は、内側フラップには、保証書入り封筒の長手方向に対向して鉛直な方向に、立ち上げ、開口するように一部を折り曲げ罫線として肉を残し、残り外周を切り欠いた押さえ部を設け、前記押さえ部を立ち上げ、開口したときの内壁に前記保証書入り封筒の尾部を当接して挟み込み固定すると、前記保証書入り封筒の封入口が切り欠き窓から明示できるように位置決め、配設される構成とすることで、外側フラップを封函する前に保証書入り封筒を腰折れさせずに係止し、挟み込み固定することができ、製品や付属品や取扱説明書などの印刷物を梱包する一連の工程で作業でき、封函テープの自動化工程を最終工程とすることで梱包作業の効率化を図ることができる。
【００１２】
また、押さえ部を立ち上げ、開口したときの内壁に保証書入り封筒の尾部を当接して挟み込み固定すると、保証書入り封筒の封入口と切り欠き窓の位置を容易に合致させることができ、作業性の向上を図ることができるとともに、作業不備により包装箱から保証書入り封筒の先端が飛び出したり、逆に引っ込みすぎて保証書の所在や有無が判別できないといったミスがなくなる。
【００１３】
【実施例】
以下、本発明の実施例について、図３〜図７を参照しながら説明する。
【００１４】
（参考例１）
図１は本発明の参考例１における保証書同梱の包装箱の部分斜視図を示すものである。包装箱１の天面２は、内側フラップ３と外側フラップ４から構成され、内側フラップ３を内方に折り畳んだ後外側フラップ４を内方に折り畳み、外側フラップ４の互いに対向する略中央を封函テープ１０で封函している。
【００１５】
ここで天面２が有する天面片７を含む４つの辺のいずれかに沿って、外側フラップ４の一部が切り欠き窓８として切り欠かれ、切り欠き窓８の辺に連設して切り欠かれた案内溝９を形成している。また保証書入り封筒５の中には保証書６が入れられ、保証書入り封筒５の先端の封入口１１近傍には、保証書在中の文字が印刷されている。
【００１６】
以上の構成により保証書入り封筒５は、包装箱１が封函された状態で切り欠き窓８から差し込まれ、案内溝９に沿って保証書入り封筒５の背を指で押さえながらずらし内側フラップ３と外側フラップ４の間に挿入していき、封入口１１の端面が天面辺７の稜線に合致する位置まで差し込み収納される。このとき切り欠き窓８および案内溝９により保証書入り封筒５の有無は明確に判別でき、また封入口１１近傍に印刷された保証書在中の文字は明示でき、第３者に保証書６の所在を明示できるよう作用する。逆に販売店などで保証書６に販売店名などを明記するために、保証書入り封筒５を包装箱１から抜き取る際には、切り欠き窓８からのぞいている封入口１１を持ち保証書入り封筒５を引き出せるように作用する。無論保証書入り封筒５の再収納は、前記収納時と同様の手順で容易に包装箱１に収納できるよう作用する。
【００１７】
なお、案内溝９の形状は、保証書入り封筒５を内側フラップ３と外側フラップ４の間に容易にかつ折り曲げることなく出し入れできれば、どのような形状でもよい。
【００１８】
（参考例２）
以下に本発明の第２の参考例について図２を参照して説明する。図２において包装箱２１の天面２２は、内側フラップ２３と外側フラップ２４から構成され、内側フラップ２３を内方に折り畳んだ後外側フラップ２４を内方に折り畳み、外側フラップ２４の互いに対向する略中央を封函テープ３２で封函している。
【００１９】
ここで天面２２が有する天面片２７を含む４つの辺のいずれかに沿って、外側フラップ２４の一部が切り欠き窓２８として切り欠かれ、切り欠き窓２８の辺に連設して、折り曲げ罫線部３０を起点に周囲を切り欠き、保証書入り封筒２５の長手方向に開口する開閉部２９を設け、開閉部２９を立ち上げ、開口して封入口３１の反対側の一部を内側フラップ２３と外側フラップ２４の間に挟み込み、開閉部２９を閉じて保証書入り封筒２５を係止、固定している。また保証書入り封筒２５の中には保証書２６が入れられ、保証書入り封筒２５の先端の封入口３１近傍には、保証書在中の文字が印刷されている。
【００２０】
以上の構成により保証書入り封筒２５は、包装箱２１が封函された状態で開閉部２９を立ち上げ、開口して封入口３１の反対側の一部を内側フラップ２３と外側フラップ２４の間に挟み込み、開閉部２９を閉じて保証書入り封筒２５を係止、固定し、封入口３１の端面が天面辺２７の稜線に合致する位置まで差し込み収納される。このとき切り欠き窓２８により保証書入り封筒２５の有無は明確に判別でき、また封入口３１近傍に印刷された保証書在中の文字は明示でき、第３者に保証書６の所在を明示できるよう作用する。逆に販売店などで保証書２６に販売店名などを明記するために、保証書入り封筒２５を包装箱２１から抜き取る際には、開閉部２９を立ち上げ、開口して保証書入り封筒２５を引き出せるように作用する。無論保証書入り封筒２５の再収納は、前記収納時と同様の手順で容易に包装箱２１に収納できるよう作用する。
【００２１】
（実施例１）
以下に本発明の第１の実施例について図３、図４を参照して説明する。図３は出荷時の保証書同梱の部分斜視図を示す。まず図３において包装箱７１の天面７２は、内側フラップ７３と外側フラップ７４から構成され、内側フラップ７３を内方に折り畳んだ後外側フラップ７４を内方に折り畳み、外側フラップ７４の互いに対向する略中央を封函テープ８０で封函している。
【００２２】
ここで天面７２が有する天面片７７を含む４つの辺のいずれかに沿って、外側フラップ７４の一部が切り欠き窓７８として切り欠かれ、切り欠き窓７８の近傍に間隔を置いて収納口７９を設け、折り曲げ罫線部８２を起点に周囲を切り欠き、立ち上げ、開口自在に構成されている。ここで保証書入り封筒７５は切り欠き窓７８から封入口８１をのぞかせるように、内側フラップ７３と外側フラップ７４の間に挟み込まれる。このとき収納口７９は閉じたままになっている。
【００２３】
次に図４を参照して説明する。図４は保証書入り封筒７５を再収納する時の保証書同梱の部分斜視図を示す。図４において、切り欠き窓７８から引き出された保証書入り封筒７５は、封入口８１から保証書７６を取り出し販売店が店名を記載、捺印した後、折り曲げ罫線部８２を起点に収納口７９を立ち上げ、開口して保証書入り封筒７５を差し込み、封入口８１が天面７２上に突出するように内側フラップ７３と外側フラップ７４の間に挿入される。なおこのとき、天面７２に対向する封入口の裏側に両面テープを設けて、腰折れやずれを防止してもよい。なお保証書入り封筒７５の先端の封入口８１近傍には、保証書在中の文字が印刷されている。
【００２４】
以上の構成により出荷時には、切り欠き窓７８により保証書入り封筒７５の有無は明確に判別でき、また封入口８１近傍に印刷された保証書在中の文字は明示でき、第３者に保証書７６の所在を明示できるよう作用する。逆に販売店などで保証書７６に販売店名などを明記するために、保証書入り封筒７５を包装箱７１から抜き取る際には、切り欠き窓７８から保証書入り封筒７５を容易に引き出せるように作用する。さらに保証書入り封筒７５の再収納時には、開閉自在の収納口７９を開口し保証書入り封筒７５を差し込み、封入口８１が収納口７９から突出する位置まで挿入した後、収納口７９を閉じ保証書入り封筒７５を係止固定し、容易に収納できるよう作用する。
【００２５】
（実施例２）
以下に本発明の第２の実施例について図５を参照して説明する。図５において、切り欠き窓４３に連設した案内溝４２の幅は、保証書入り封筒４１よりも短く、案内溝４２の長さは、保証書入り封筒４１の長さより長いキー溝形状とすることで内側フラップ４５と外側フラップ４６の間に挟まれた保証書入り封筒４１の保持は十分なされ、かつ案内溝４２に沿って、保証書入り封筒４１の背を押さえながら滑らせるように包装箱４４から出し入れが可能なように作用する。
【００２６】
（実施例３）
以下に本発明の第３の実施例について図６を参照して説明する。図６において、折り曲げ罫線部５４を有し、残りの外周は切り欠いた押さえ部５３を保証書入り封筒５５の長手方向に対向するように内側フラップ５１に設け、包装箱５６を封函する前に保証書入り封筒５５の封入口５７の反対側を押さえ部５３で挟み込み、係止固定している。
【００２７】
（実施例４）
以下に本発明の第４の実施例について図７を参照して説明する。図７において、押さえ部６５を立ち上げたときの折り曲げ罫線部６６の内面に封入口６８と反対側を当接させると、封入口６８の先端は、包装箱６１の一辺に合致し、外側フラップ６３が折り重なると切り欠き窓６４が封入口６８に合致するよう構成されている。
【００２８】
【発明の効果】
上記に示したように、請求項１記載の発明によれば、保証書入り封筒の封入口近傍に印刷された保証書在中の文字が切り欠き窓から明示でき、保証書入り封筒の所在と有無が容易に判別でき、さらに販売店で保証書入り封筒を引き出し、保証書に販売店名を記入、捺印した後再収納するときに、最後まで腰折れさせたり欠損させることなく、容易にかつ円滑に再収納することができ、また保証書入り封筒の短手方向から差し込み挿入することもできる。
【００２９】
請求項２記載の発明によれば、保証書入り封筒を折り曲げたり欠損することなく、容易に再収納できるとともに、再収納時にも保証書在中の印刷文字を明示し、保証書の所在を明示することができる。
【００３０】
請求項３記載の発明によれば、外側フラップを封函する前に保証書入り封筒を腰折れさせずに係止し、挟み込み固定することができ、製品や付属品や取扱説明書などの印刷物を梱包する一連の工程で作業でき、封函テープの自動化工程を最終工程とすることで梱包作業の効率化を図ることができる。
【００３１】
また、保証書入り封筒の封入口と切り欠き窓の位置を容易に合致させることができ、作業性の向上を図ることができるとともに、作業不備により包装箱から保証書入り封筒の先端が飛び出したり、逆に引っ込みすぎて保証書の所在や有無が判別できないといったミスがなくなる。
【図面の簡単な説明】
【図１】  本発明の参考例１における保証書同梱の包装箱の部分斜視図
【図２】  本発明の参考例２における保証書同梱の包装箱の部分斜視図
【図３】  本発明の実施例１の出荷時における保証書同梱の包装箱の部分斜視図
【図４】  本発明の実施例１の保証書入り封筒を再収納する時における保証書同梱の包装箱の部分斜視図
【図５】  本発明の実施例２における保証書同梱の包装箱の部分斜視図
【図６】  本発明の実施例３における保証書同梱の包装箱の部分斜視図
【図７】  本発明の実施例４における保証書同梱の包装箱の部分斜視図
【符号の説明】
１、２１、４４、５６、６１、７１  包装箱
２、２２、７２  天面
３、２３、４５、５１、６２、７３  内側フラップ
４、２４、４６、５２、６３、７４  外側フラップ
５、２５、４１、５５、６７、７５  保証書入り封筒
６、２６、７６  保証書
７、２７、７７  天面辺
８、２８、４３、６４、７８  切り欠き窓
９、４２  案内溝
１０、３２、８０  封函テープ
１１、３１、５７、６８、８１  封入口
２９  開閉部
３０、５４、６６、８２  折り曲げ罫線部
５３、６５  押さえ部
７９  収納口
【図１】
0003722006.tif 000002
【図２】
0003722006.tif 000003
【図３】
0003722006.tif 000004
【図４】
0003722006.tif 000005
【図５】
0003722006.tif 000006
【図６】
0003722006.tif 000007
【図７】
0003722006.tif 000008